(57)【要約】      （修正有）【課題】軒樋が変形し、前壁部および底壁部に膨れが生じても、軒樋端部の端面が露出するのを防止し、良好な外観を維持することのできる軒樋外曲がり継手を提供する。【解決手段】軒樋外曲がり継手１において、継手本体２の前壁部２ａにおける上端部と下端部との間の中間部側の段差が、継手本体の前壁部における上端部側および底壁部２ｂと交わるコーナー部周辺側の段差より大きく、かつ継手本体の底壁部における前後の端部間の中間部側の段差が、前壁部と交わるコーナー部周辺側および後壁部と交わるコーナー部周辺側の段差より大きい。【選択図】図１
2008240318.tif 000002
【特許請求の範囲】
【請求項１】
平面視略方形形状であり、前壁部、底壁部および後壁部から形成され、断面略コ字状形状を有する継手本体の両端から継手本体の外方に向かって、外周面が継手本体の外周面より内側に位置し、継手本体との間に段差が形成された嵌合部が延設され、嵌合部が軒樋端部の内側に嵌合することにより、軒先の出隅部において直交配置される軒樋の端部同士を直角に接続し、継手本体の外周面と軒樋の外周面とを略面一に配置させる軒樋外曲がり継手において、継手本体の前壁部における上端部と下端部との間の中間部側の段差が、継手本体の前壁部における上端部側および底壁部と交わるコーナー部周辺側の段差より大きく、かつ継手本体の底壁部における前後の端部間の中間部側の段差が、前壁部と交わるコーナー部周辺側および後壁部と交わるコーナー部周辺側の段差より大きいことを特徴とする軒樋外曲がり継手。
【発明の詳細な説明】
【技術分野】
【０００１】
本発明は、軒先の出隅部において直交配置される軒樋の端部同士を直角に接続する軒樋外曲がり継手に関する。
【背景技術】
【０００２】
軒先に軒樋を取り付ける際に、軒先の出隅部において直交配置される軒樋の端部同士を直角に接続するものとして軒樋外曲がり継手が知られている。軒先の入隅部では軒樋の端部同士の直角接続のために軒樋内曲がり継手が用いられるが、これらの軒樋曲がり継手としては、平面視略Ｌ字状形状を有し、両端部に軒樋端部の嵌合部が形成されているものが一般的である。
【０００３】
このような軒樋曲がり継手の中で、軒樋との継ぎ目部分が目立たず、軒樋が継手によって接続されていることが外観上ほとんど視認されず、直角に曲がった軒樋であるかのような一体感が現出されるように工夫を凝らした軒樋曲がり継手が知られている（特許文献１）。
【０００４】
特許文献１に記載された軒樋曲がり継手では、平面視略Ｌ字状形状の継手本体の両端から嵌合部が延設され、嵌合部の外周面を軒樋の周壁（底壁、前壁および後壁）の厚み分または厚みより若干大きく継手本体の外周面より内側に配置させ、継手本体と嵌合部との間に段部が形成されている。
【０００５】
したがって、上記軒樋曲がり継手を用いて軒樋の端部同士を直角に接続する際に、嵌合部を軒樋端部の内側に嵌合させると、嵌合部の外周面が軒樋の周壁の厚み分または厚みより若干大きく継手本体の外周面より内側に位置しているため、継手本体の外周面と軒樋の外周面とを略面一に配置させることができ、軒樋曲がり継手と軒樋との継ぎ目部分が目立たず、軒樋が軒樋曲がり継手によって接続されていることが外観上ほとんど視認されず、直角に曲がった軒樋であるかのような一体感が現出される。
【特許文献１】特開２００５−１４６７４３号公報
【発明の開示】
【発明が解決しようとする課題】
【０００６】
しかしながら、上記の通りの施工外観を良好とする軒樋曲がり継手ではあるが、継手本体と嵌合部との間の段差の寸法は、通常、継手本体の前壁部、底壁部および後壁部にわたって均等とされているため、一般に合成樹脂製である軒樋が日照により加熱され、膨張するなどして変形し、この変形は特に軒樋の前壁部および底壁部に起こりやすく、前壁部および底壁部に外方に向かう膨れが生じると、軒樋の前壁部および底壁部は軒樋曲がり継手の継手本体から外方に突出し、軒樋端部の端面が露出する。このような軒樋の変形にともなう軒樋端部の端面の露出は、施工外観の向上を主な特長とする上記の軒樋曲がり継手では大きな問題である。
【０００７】
本発明は、以上の通りの事情に鑑みてなされたものであり、軒樋が変形し、前壁部および底壁部に膨れが生じても、軒樋端部の端面が露出するのを防止し、良好な外観を維持することのできる軒樋外曲がり継手を提供することを課題としている。
【課題を解決するための手段】
【０００８】
本発明の軒樋外曲がり継手は、上記の課題を解決するために、平面視略方形形状であり、前壁部、底壁部および後壁部から形成され、断面略コ字状形状を有する継手本体の両端から継手本体の外方に向かって、外周面が継手本体の外周面より内側に位置し、継手本体との間に段差が形成された嵌合部が延設され、嵌合部が軒樋端部の内側に嵌合することにより、軒先の出隅部において直交配置される軒樋の端部同士を直角に接続し、継手本体の外周面と軒樋の外周面とを略面一に配置させる軒樋外曲がり継手において、継手本体の前壁部における上端部と下端部との間の中間部側の段差が、継手本体の前壁部における上端部側および底壁部と交わるコーナー部周辺側の段差より大きく、かつ継手本体の底壁部における前後の端部間の中間部側の段差が、前壁部と交わるコーナー部周辺側および後壁部と交わるコーナー部周辺側の段差より大きいことを特徴としている。
【発明の効果】
【０００９】
上記の本発明によれば、継手本体の前壁部における上端部と下端部との間の中間部側の段差が、継手本体の前壁部における上端部側および底壁部と交わるコーナー部周辺側の段差より大きく、かつ継手本体の底壁部における前後の端部間の中間部側の段差が、前壁部と交わるコーナー部周辺側および後壁部と交わるコーナー部周辺側の段差より大きいため、軒樋に変形が生じ、軒樋の前壁部、底壁部のそれぞれにおける中間部が外方に膨れても、継手本体の前壁部および底壁部における中間部側の大きな段差によって、この段差以内に軒樋の膨れた前壁部および底壁部を納めておくことができ、軒樋端部の端面が露出することはない。良好な外観を維持することができる。
【発明を実施するための最良の形態】
【００１０】
図１は、本発明の軒樋外曲がり継手の一実施形態を示した斜視図である。図２、図３は、それぞれ、図１に示した軒樋外曲がり継手の平面図、矢視正面図である。図４は、図２図中の実線Ａ内の拡大図である。
【００１１】
図１、図２および図３に示したように、本実施形態の軒樋外曲がり継手１は、平面視略方形形状であり、前壁部２ａ、底壁部２ｂおよび後壁部２ｃから形成された断面略コ字状形状の継手本体２を備えている。継手本体２において、前壁部２ａは、平面視略Ｌ字状形状を有し、軒樋外曲がり継手１が接続する軒樋の前壁部の形状に一致するように、下端から上端にかけて外方に膨出するように湾曲している。前壁部２ａの平面視略Ｌ字状形状の上端縁部２ａ１は、軒樋の前壁部上端の前耳部の外面形状に一致する形状の外面２ａ２を有している。底壁部２ｂはフラットな形状を有し、前壁部２ａの下端から水平に延設され、後端からは後壁部２ｃが直角に立ち上がっている。後壁部２ｃは、断面略１/４円状に湾曲し、高さは前壁部２ａの略半分とされている。
【００１２】
また、軒樋外曲がり継手１では、継手本体２の上端縁部２ａ１に直交する両端から、継手本体２の外方に向かって嵌合部３が延設されている。嵌合部３は、継手本体２と同様に、前壁部３ａ、底壁部３ｂおよび後壁部３ｃから形成され、断面略コ字状形状を有している。
【００１３】
一方、前壁部３ａ、底壁部３ｂおよび後壁部３ｃの外面から形成される嵌合部３の外周面４は、継手本体２の前壁部２ａ、底壁部２ｂおよび後壁部２ｃの外面から形成される外周面５より内側に位置し、継手本体２と嵌合部３との間に段差６が形成されている。
【００１４】
嵌合部３において、前壁部３ａは、軒樋の前壁部の内面に対応して、継手本体２の前壁部２ａより段差６の寸法分内側に配置されるとともに、下端から上端にかけて外方に膨出するように湾曲している。上端部には、縁部に、軒樋の前壁部上端に設けられた前耳部が嵌め込まれる外方に開口する断面略コ字状形状の前耳部７が形成されるとともに、前耳部７の下部に、軒樋の前壁部上端部に設けられた内方に突出する突部と係合する断面略コ字状形状の係合凹部８が形成されている。前耳部７の上片部７ａの外側縁は、嵌合部３の長さ方向に平行ではなく、継手本体２側の一端から前耳部７の長さ方向の中程にかけて若干内側に傾斜し、中程から嵌合部３の外側端に向かって大きく内側に傾斜し、切欠部９が形成されている。切欠部９は、嵌合部３を軒樋端部に嵌合する際の軒樋の前耳部との接触面積を縮小し、軒樋の前耳部を前耳部７に嵌め込みやすくしている。
【００１５】
底壁部３ｂは、前壁部３ａの下端から水平に延設され、段差６の寸法分上方に配置されている。後壁部３ｃは、底壁部３ｂの後端から直角に継手本体２の後壁部２ｃと略同一高さに立ち上がっている。また、後壁部３ｃは、継手本体２の後壁部２ｃより段差６の寸法分内側に配置されている。嵌合部３を軒樋端部に嵌合する際には、軒樋の後壁部上端に設けられた後耳部の下端に後壁部３ｃの上端を係合させる。安定した係合が可能なように後壁部３ｃには、上端から若干内方に向けて水平に係止片１０が延設されている。
【００１６】
軒樋外曲がり継手１において段差６は均等に設けられていない。すなわち、図３に示したように、継手本体２の前壁部２ａ側では、上端部に位置する係合凹部８の下方部分２ａ３および底壁部２ｂと交わるコーナー部周辺２ａ４の段差６ａ、６ｂの寸法ｓ１、ｓ２が、軒樋の前壁部の厚みと略等しいかまたは若干大きくされている一方、上端部と下端部との間の中間部２ａ５の段差６ｃの寸法ｓ３は、軒樋の前壁部の厚みより大きく、段差６ａ、６ｂの寸法ｓ１、ｓ２より大きくなっている。また、継手本体２の底壁部２ｂ側では、前壁部２ａと交わるコーナー部周辺２ｂ１および後壁部２ｃと交わるコーナー部周辺２ｂ２の段差６ｄ、６ｅの寸法ｓ４、ｓ５が、軒樋の前壁部の厚みと略等しいかまたは若干大きくされている一方、前後の端部間の中間部２ｂ３の段差６ｆの寸法ｓ６は、軒樋の底壁部の厚みより大きく、段差６ｄ、６ｅの寸法ｓ４、ｓ５より大きくなっている。
【００１７】
継手本体２の後壁部２ｃ側では、段差６は上下方向に均等としたり、前壁部２ａと同様な部位により寸法の異なる段差６としたりすることができる。
【００１８】
このような嵌合部３を軒先の出隅部において直交配置される軒樋の端部に嵌合して軒樋外曲がり継手１は軒樋の端部同士を直角に接続するが、接続強度を高めるために、嵌合部３には、外周面４部に接着剤塗布用凹溝１１が二条並設されている。接着剤塗布用凹溝１１は、嵌合部３の前壁部３ａの係合凹部８のほぼ直下から底壁部３ｂを経て後壁部３ｃの略上端まで形成され、断面略Ｖ字状形状を有する。接着剤は、接着剤塗布用凹溝１１に沿って塗布される。
【００１９】
一方、軒樋の端部同士の直角接続の際に、嵌合部３は軒樋端部の内側に嵌合されるため、接着剤に余剰分が生じた場合には、余剰接着剤が嵌合部３から継手本体２側に漏出する恐れがある。余剰接着剤の漏出は施工外観を低下させるので、嵌合部３の外周面４部には、継手本体２寄りに接着剤逃がし用凹溝１２が形成されている。接着剤逃がし用凹溝１２は深さの浅い帯状形状を有し、接着剤塗布用凹溝１１と同様に、嵌合部３の前壁部３ａの係合凹部８のほぼ直下から底壁部３ｂを経て後壁部３ｃの略上端まで形成されている。したがって、生じた余剰接着剤は、特に接続強度をより高めるために多量に接着剤を塗布する場合に起こりやすいが、接着剤逃がし用凹溝１２で受け止めることができ、継手本体２側に漏出するのが防止される。より効果的に余剰接着剤の漏出を防止するために、本実施形態の軒樋外曲がり継手１では、二条の接着剤塗布用凹溝１１間に接着剤補助溜まり溝１３が嵌合部３の外周面４部に形成されている。接着剤補助溜まり溝１３は、接着剤塗布用凹溝１１と同様に断面略Ｖ字状形状を有し、前壁部３ａ、底壁部３ｂおよび後壁部３ｃに形成されている。一方、接着剤補助溜まり溝１３は、前壁部３ａおよび後壁部３ｃでは下端部までの高さに抑えている。接着剤補助溜まり溝１３によって接着剤塗布用凹溝１１から溢れ出た余剰接着剤を予備的に受け止めることができる。なお、接着剤補助溜まり溝１３は、接着剤逃がし用凹溝１２に接着剤を受け止める余裕があれば、接着剤塗布用溝として使用することも可能である。
【００２０】
そして、本実施形態の軒樋外曲がり継手１では、継手本体２の後壁部２ｃにおけるコーナー部２ｃ１の上端にガイド片１４が立設されている。ガイド片１４は、２枚一組として断面略１/４円形状の支持体１５に、その両端から嵌合部３の長さ方向に若干突出して支持されている。支持体１５は、継手本体２の後壁部２ｃの上端に配設されている。
【００２１】
図４に示したように、ガイド片１４の突出長さは、嵌合部３の後壁部３ｃの継手本体２側の端縁部にわずかにかかる長さであり、後壁部３ｃの外面とガイド片１４の内面との間隔は、ほぼ段差６の寸法に等しく、軒樋１６の後壁部１６ａの厚み分に略等しい。
【００２２】
また、ガイド片１４の嵌合部３側の側端縁には、軒樋外曲がり継手１の外方に突出する返り片１７が配設されている。返り片１７はガイド片１４の嵌合部３側の側端縁から折れ曲がるように延設されており、軒樋外曲がり継手１の外方に突出する長さは若干としている。
【００２３】
以上の通りの本実施形態の軒樋外曲がり継手１を用いて軒先の出隅部において直交配置される軒樋１６の端部同士を直角に接続する際には、図３に示したように、軒樋１６の後壁部１６ａの上端部に設けられた後耳部１８の下端に斜め下方から嵌合部３の後壁部３ｃの上端、すなわち、係止片１０を上方に向けて係合させ、嵌合部３を軒樋１６の内部に差し込み、挿入し、前壁部３ａを下方に回動させながら、後壁部３ｃの外面を軒樋１６の後壁部１６ａの内面に重ね合わせ、次いで、底壁部３ｂの外面を軒樋１６の底壁部１６ｂの内面に重ね合わせ、さらに、前壁部３ａの外面を軒樋１６の前壁部１６ｃの内面に重ね合わせながら、係合凹部８に軒樋１６の前壁部１６ｃの上端部に設けられた突部１９を係合させ、最後に、前耳部７に軒樋１６の前壁部１６ｃの上端に設けられた前耳部２０を嵌め込み、嵌合部３を軒樋１６の端部の内側に嵌合させる。
【００２４】
このとき、軒先の出隅部において直交配置される軒樋１６の端部同士を直角に接続した軒樋外曲がり継手１の継手本体２の外周面、すなわち、前壁部２ａ、底壁部２ｂおよび後壁部２ｃの外面から形成される外周面５は、軒樋１６の外周壁部の厚み分または厚みより若干大きい寸法を有する段差６によって継手本体２の外周面５より内側に嵌合部３の外周面４が配置されるため、軒樋１６の外周面と略面一に配置され、軒樋外曲がり継手１と軒樋１６との継ぎ目部分が目立たず、軒樋１６が軒樋外曲がり継手１により接続されていることが外観上ほとんど視認されず、直角に曲がった軒樋であるかのような一体感が現出される。
【００２５】
しかも、接着剤を併用することにより接続強度が高まり、また、余剰接着剤が生じたとしても、接着剤逃がし用凹溝１２によって余剰接着剤が受け止められ、継手本体２側に漏出することはなく、良好な仕上がり外観が得られる。
【００２６】
そして、軒樋外曲がり継手１では、上記の通り、継手本体２の前壁部２ａにおける中間部２ａ５側の段差６ｃが、継手本体２の前壁部２ａにおける上端部側、すなわち、係合凹部８の下方部分２ａ３および底壁部２ｂと交わるコーナー部周辺２ａ４側の段差６ａ、６ｂより大きく、また、継手本体２の底壁部２ｂにおける前後の端部間の中間部２ｂ３側の段差６ｆが、前壁部２ａと交わるコーナー部周辺２ｂ１側および後壁部２ｃと交わるコーナー部周辺２ｂ２側の段差６ｄ、６ｅより大きいため、軒樋１６が日照により加熱され、膨張するなどして変形し、軒樋１６の前壁部１６ｃ、底壁部１６ｂのそれぞれにおける中間部が外方に膨れても、継手本体２の前壁部２ａおよび底壁部２ｂにおける中間部２ａ５、２ｂ３側の大きな段差６ｃ、６ｆによって、段差６ｃ、６ｆ以内に軒樋１６の前壁部１６ｃおよび底壁部１６ｂを納めておくことができ、軒樋１６の端部の端面が露出することはない。良好な外観を維持することができる。軒樋１６に形状などの変更を加えることなく、軒樋１６の膨れにともなう端部の端面の露出を簡便に防止することができる。
【００２７】
また、軒樋外曲がり継手１には、継手本体２の後壁部２ｃにおけるコーナー部２ｃ１の上端にガイド片１４が配設されているため、図４に示したように、ガイド片１４によって軒樋１６の後壁部１６ａの端部を軒樋外曲がり継手１側に引き込むことができ、たとえ切断誤差にともない軒樋１６の端部の形状、寸法などにばらつきが生じても、軒樋外曲がり継手１の嵌合部３を軒樋１６の端部の内側に確実に嵌合させることができる。軒先に配設された鼻隠し板より軒樋１６が外側に出ているような場合などでも確実な嵌合が可能となる。このため、軒先の出隅部において直交配置される軒樋１６の端部同士を直角に接続する施工効率が向上する。
【００２８】
しかも、ガイド片１４の嵌合部３側の側端縁には軒樋外曲がり継手１の外方に突出する返り片１７が配設されているため、ガイド片１４によって軒樋外曲がり継手１側に引き込んだ軒樋１６の後壁部１６ａの端部を返り片１７により嵌合部３の後壁部３ｃ側に押さえることができ、軒樋１６の前壁部１６ｃの上端に設けられた前耳部２０を嵌合部３の前壁部３ａの前耳部７に嵌め込む際、軒樋１６の後壁部１６ａの端部がガイド片１４から逃げるように外れるのが防止され、軒樋外曲がり継手１の嵌合部３を軒樋１６の端部の内側により確実に嵌合させることができる。接続作業をスムーズに行うことができる。
【００２９】
軒樋外曲がり継手１における返り片１７を含めたガイド片１４の嵌合部３の後壁部３ｃの外面からの出代ｄは、図４に示したように十分小さくても、軒樋１６の後壁部１６ａの端部を軒樋外曲がり継手１側に確実に引き込むことができ、また、軒樋１６の後壁部１６ａの端部のガイド片１４からの逃げを防止することができる。ガイド片１４および返り片１７は、軒先と干渉することはなく、軒樋１６の接続作業の邪魔になることはない。
【００３０】
なお、本発明の軒樋外曲がり継手は、たとえば、合成樹脂の押出成形や、合成樹脂内に金属薄板をインサート成形した複合材料に切断、曲げ加工などを施し、一体的に形成することができる。
【図面の簡単な説明】
【００３１】
【図１】本発明の軒樋外曲がり継手の一実施形態を示した斜視図である。
【図２】図１に示した軒樋外曲がり継手の平面図である。
【図３】図１に示した軒樋外曲がり継手の矢視正面図である。
【図４】図２図中の実線Ａ内の拡大図である。
【符号の説明】
【００３２】
１  軒樋外曲がり継手
２  継手本体
２ａ  前壁部
２ａ４  コーナー部周辺
２ａ５  中間部
２ｂ  底壁部
２ｂ１、２ｂ２  コーナー部周辺
２ｂ３  中間部
２ｃ  後壁部
３  嵌合部
４  外周面
５  外周面
６、６ａ、６ｂ、６ｃ、６ｄ、６ｅ、６ｆ  段差
１６  軒樋
【図４】
2008240318.tif 000003
【図１】
2008240318.tif 000004
【図２】
2008240318.tif 000005
【図３】
2008240318.tif 000006